(57)【要約】【課題】  カメラの撮影条件の設定において、初心者であっても、簡便な操作で熟練者と略同等の条件設定を可能とすること。【解決手段】  撮影に関する質問と、質問毎の回答と、それぞれの回答に対応づけられた第１の値とを記録する記録部と、ユーザに対して質問を提示する質問部と、質問に対するユーザの回答を取得する取得部と、回答に対応づけられた第１の値に応じて、撮影条件を設定する条件設定部とを備える。なお、記録部は、複数の質問を記録し、質問部は、複数の質問を提示し、条件設定部は、取得部により少なくとも２以上の回答を取得すると、取得した回答に対応づけられた第１の値の組み合わせに応じて、撮影条件を設定しても良い。【選択図】      図１
2007306200.tif 000002
【特許請求の範囲】
【請求項１】
撮影に関する質問と、質問毎の回答と、それぞれの回答に対応づけられた第１の値とを記録する記録部と、
ユーザに対して前記質問を提示する質問部と、
前記質問に対する前記ユーザの回答を取得する取得部と、
前記回答に対応づけられた前記第１の値に応じて、撮影条件を設定する条件設定部と
を備えたことを特徴とするカメラ。
【請求項２】
請求項１に記載のカメラにおいて、
前記記録部は、複数の前記質問を記録し、
前記質問部は、複数の前記質問を提示し、
前記条件設定部は、前記取得部により少なくとも２以上の前記回答を取得すると、取得した前記回答に対応づけられた前記第１の値の組み合わせに応じて、前記撮影条件を設定する
ことを特徴とするカメラ。
【請求項３】
請求項２に記載のカメラにおいて、
前記条件設定部は、前記回答に対応づけられた前記第１の値の組み合わせに応じて、各部を制御する制御値である第２の値を決定し、前記撮影条件として設定する
ことを特徴とするカメラ。
【請求項４】
請求項１に記載のカメラにおいて、
前記質問部は、前記ユーザが任意の前記質問に対する前記回答を回避可能に前記質問を提示する
ことを特徴とするカメラ。
【請求項５】
請求項１に記載のカメラにおいて、
前記記録部は、任意の前記質問に対して、少なくとも２つの前記回答を記録し、
前記取得部は、少なくとも２つの前記回答のうち、ユーザにより選択された前記回答を取得する
ことを特徴とするカメラ。
【請求項６】
請求項１に記載のカメラにおいて、
前記記録部は、撮影時の閃光発光に関する質問と、撮影目的に関する質問と、被写体に関する質問と、撮影場所に関する質問と、撮影時間に関する質問と、前記ユーザの好みに関する質問とのうち少なくとも１つの質問を記録する
ことを特徴とするカメラ。
【請求項７】
請求項１に記載のカメラにおいて、
前記記録部は、撮影時の露出に関する値と、撮影時の閃光発光に関する値と、撮影時の焦点調節に関する値と、画像処理に関する値とのうち少なくとも１つを前記第１の値として記録する
ことを特徴とするカメラ。
【請求項８】
請求項１に記載のカメラにおいて、
前記条件設定部により設定した前記撮影条件に応じて、撮影時の注意事項を前記ユーザに対して報知する報知部をさらに備える
ことを特徴とするカメラ。
【請求項９】
ユーザに対して撮影に関する質問を提示する質問手順と、
前記質問に対する前記ユーザの回答を取得する取得手順と、
前記回答に応じて、予め前記回答に対応づけられた第１の値に応じて、撮影条件を設定する条件設定手順と
を有することを特徴とするカメラの条件設定方法。
【請求項１０】
請求項９に記載のカメラの条件設定方法において、
前記質問手順では、複数の前記質問を提示し、
前記条件設定手順では、前記取得手順において少なくとも２以上の前記回答を取得すると、取得した前記回答に対応づけられた前記第１の値の組み合わせに応じて、前記撮影条件を設定する
ことを特徴とするカメラの条件設定方法。
【請求項１１】
請求項１０に記載のカメラの条件設定方法において、
前記条件設定手順では、予め前記回答に対応づけられた前記第１の値の組み合わせに応じて、各部を制御する制御値である第２の値を決定し、前記撮影条件として設定する
ことを特徴とするカメラの条件設定方法。
【請求項１２】
請求項９に記載のカメラの条件設定方法において、
前記取得手順では、任意の前記質問に対して予め定められた少なくとも２つの前記回答のうち、ユーザにより選択された前記回答を取得する
ことを特徴とするカメラの条件設定方法。
【請求項１３】
カメラの条件設定をコンピュータで実現するための条件設定プログラムを記録した記録媒体であって、
ユーザに対して撮影に関する質問を提示する質問ステップと、
前記質問に対する前記ユーザの回答を取得する取得ステップと、
前記回答に応じて、予め前記回答に対応づけられた第１の値に応じて、撮影条件を設定する条件設定ステップと
を有することを特徴とするカメラの条件設定プログラムを記録した記録媒体。
【請求項１４】
請求項１３に記載のカメラの条件設定プログラムを記録した記録媒体において、
前記質問ステップでは、複数の前記質問を提示し、
前記条件設定ステップでは、前記取得ステップにおいて少なくとも２以上の前記回答を取得すると、取得した前記回答に対応づけられた前記第１の値の組み合わせに応じて、前記撮影条件を設定する
ことを特徴とするカメラの条件設定プログラムを記録した記録媒体。
【請求項１５】
請求項１４に記載のカメラの条件設定プログラムを記録した記録媒体において、
前記条件設定ステップでは、予め前記回答に対応づけられた前記第１の値の組み合わせに応じて、各部を制御する制御値である第２の値を決定し、前記撮影条件として設定する
ことを特徴とするカメラの条件設定プログラムを記録した記録媒体。
【請求項１６】
請求項１３に記載のカメラの条件設定プログラムを記録した記録媒体において、
前記取得ステップでは、任意の前記質問に対して予め定められた少なくとも２つの前記回答のうち、ユーザにより選択された前記回答を取得する
ことを特徴とするカメラの条件設定プログラムを記録した記録媒体。
【発明の詳細な説明】
【技術分野】
【０００１】
本発明は、カメラ、カメラの条件設定方法およびカメラの条件設定プログラムを記録した記録媒体に関する。
【背景技術】
【０００２】
カメラの撮影に関する制御には、露出制御や焦点調節制御などの様々な設定項目がある。また、電子カメラにおいては、画像処理をはじめとして、さらに多岐にわたる設定項目がある。専門的な知識が豊富な熟練者が撮影を行う場合には、各種設定項目を適切に設定することにより、最適な撮影を行うことができる。しかし、専門的な知識に乏しい初心者や一般のユーザが撮影を行う場合には、適切な設定を行うのは困難である。
【０００３】
そこで、複数の撮影シーン（「ポートレート」、「風景」など）に各種設定項目を予め対応づけておき、ユーザが何れかの撮影シーンを選択することにより各種設定項目を自動で設定可能なシーンモードや、上述した撮影シーンをカメラが自動で判別する自動シーン判別などの技術が考えられている（例えば、特許文献１参照）。
【特許文献１】特開２００２−１０１３５号公報
【発明の開示】
【発明が解決しようとする課題】
【０００４】
しかし、上述したシーンモードは、ユーザが適切な撮影シーンを選択することが前提であり、ユーザが不適切な撮影シーンを選択した場合には、適切な設定や撮影を行えない場合がある。また、上述した自動シーン判別は、正確な判別を行うために複雑な処理が必要となる。また、シーン判別において誤判別が発生する場合がある。
本発明は、上記問題に鑑みてなされたものであり、カメラの撮影条件の設定において、初心者であっても、簡便な操作で熟練者と略同等の条件設定を可能とすることを目的とする。
【課題を解決するための手段】
【０００５】
本発明のカメラは、撮影に関する質問と、質問毎の回答と、それぞれの回答に対応づけられた第１の値とを記録する記録部と、ユーザに対して前記質問を提示する質問部と、前記質問に対する前記ユーザの回答を取得する取得部と、前記回答に対応づけられた前記第１の値に応じて、撮影条件を設定する条件設定部とを備える。
なお、好ましくは、前記記録部は、複数の前記質問を記録し、前記質問部は、複数の前記質問を提示し、前記条件設定部は、前記取得部により少なくとも２以上の前記回答を取得すると、取得した前記回答に対応づけられた前記第１の値の組み合わせに応じて、前記撮影条件を設定しても良い。
【０００６】
また、好ましくは、前記条件設定部は、前記回答に対応づけられた前記第１の値の組み合わせに応じて、各部を制御する制御値である第２の値を決定し、前記撮影条件として設定しても良い。
また、好ましくは、前記質問部は、前記ユーザが任意の前記質問に対する前記回答を回避可能に前記質問を提示しても良い。
【０００７】
また、好ましくは、前記記録部は、任意の前記質問に対して、少なくとも２つの前記回答を記録し、前記取得部は、少なくとも２つの前記回答のうち、ユーザにより選択された前記回答を取得しても良い。
また、好ましくは、前記記録部は、撮影時の閃光発光に関する質問と、撮影目的に関する質問と、被写体に関する質問と、撮影場所に関する質問と、撮影時間に関する質問と、前記ユーザの好みに関する質問とのうち少なくとも１つの質問を記録しても良い。
【０００８】
また、好ましくは、前記記録部は、撮影時の露出に関する値と、撮影時の閃光発光に関する値と、撮影時の焦点調節に関する値と、画像処理に関する値とのうち少なくとも１つを前記第１の値として記録しても良い。
また、好ましくは、前記条件設定部により設定した前記撮影条件に応じて、撮影時の注意事項を前記ユーザに対して報知する報知部をさらに備えても良い。
【０００９】
なお、上記発明に関する構成を、カメラの条件設定方法、カメラの条件設定をコンピュータで実現するための条件設定プログラムを記録した記録媒体に変換して表現したものも本発明の具体的態様として有効である。
【発明の効果】
【００１０】
本発明によれば、カメラの撮影条件の設定において、初心者であっても、簡便な操作で熟練者と略同等の条件設定を可能とすることができる。
【発明を実施するための最良の形態】
【００１１】
以下、本発明の実施形態について説明する。本実施形態では、本発明のカメラの一例として、電子カメラを用いて説明する。本実施形態の電子カメラ１は、図１の背面外観図に示すように、上面に電源ボタン２、レリーズボタン３を備える。また、背面にモニタ４、ズームボタン５、十字ボタン６、十字ボタンの中央に配置される決定ボタン７を備える。電子カメラ１は、この他に、メニューボタン、モード選択ボタン、再生ボタン、ゴミ箱ボタンなどを備えても良い。本実施形態では、本発明にかかわる部材のみについて説明する。
【００１２】
図２は、電子カメラ１の機能ブロック図である。電子カメラ１は、図２に示すように、不図示の撮影レンズや撮像素子を含む撮像部１０と、電源ボタン２、レリーズボタン３、ズームボタン５、十字ボタン６、決定ボタン７などを含む操作部１１と、各部を制御する制御部１２と、モニタ４の表示内容を制御する表示処理部１３と、画像などを記録する記録部１４とを備える。また、制御部１２は、内部にメモリ１５および条件設定部１６を有する。メモリ１５および条件設定部１６の詳細は後述する。
【００１３】
図２において、撮像部１０、表示処理部１３、記録部１４は、制御部１２と相互に接続される。また、操作部１１の状態は制御部１２により検知され、表示処理部１３の出力はモニタ４に接続される。
以上説明した構成の電子カメラ１において、レリーズボタン３を介して、被写体像の撮像が指示されると、制御部１２はこれを検知し、撮像部１０を介して被写体像を撮像する。そして、制御部１２は、撮像により生成した画像を記録部１４に記録する。
【００１４】
本実施形態の電子カメラ１は、撮影条件の設定を自動で行うために、モニタ４を用いてユーザに複数の質問を提示し、それらの質問に対するユーザの回答に応じて、撮影条件を設定する。制御部１２内のメモリ１５には、撮影に関する質問と、質問毎の回答と、それぞれの回答に対応づけられた属性値（詳細は後述する）とが予め記録される。条件設定部１６は、メモリ１５に記録された情報に基づいて、撮影条件を設定する。設定の流れについて、図３に示すフローチャートを用いて説明する。
【００１５】
ステップＳ１において、条件設定部１６は、表示処理部１３を制御し、モニタ４を用いてユーザに対して質問を提示する。図４に、Ｎｏ１〜Ｎｏ９の質問（分類を含む）および回答の一覧を示す。質問は、撮影時の閃光発光に関する質問（Ｎｏ１）と、撮影目的に関する質問（Ｎｏ２）と、被写体に関する質問（Ｎｏ３，４）と、撮影場所に関する質問（Ｎｏ５〜７）と、撮影時間に関する質問（Ｎｏ８）と、ユーザの好みに関する質問（Ｎｏ９）とからなる。また、回答は、質問に対して、少なくとも２つの回答からなる。
【００１６】
図５に、質問（Ｎｏ２）の提示例を示す。条件設定部１６は、モニタ４の上部に質問ａを表示し、中央部に回答群ｂを表示する。さらに、下部にユーザが質問の回答を回避するためのスキップアイコンｃと、ユーザが設定を終了するための終了アイコンｄとを表示する。ユーザは、モニタ４を目視しながら操作部１１を操作することにより、質問ａに対する回答を回答群ｂから選択するか、または、スキップアイコンｃと終了アイコンｄとの何れかを選択することができる。なお、Ｎｏ２以外の質問の提示についても同様の処理が行われる。また、質問に関する表示の例は図５の例に限定されない。
【００１７】
ステップＳ２において、条件設定部１６は、ユーザが回答を選択したか否かを判定する。条件設定部１６は、ユーザが回答を選択したと判定すると、ステップＳ３に進み、ユーザが回答を選択していないと判定すると、後述するステップＳ４に進む。
ステップＳ３において、条件設定部１６は、ユーザが選択した回答（の種類）を取得し、メモリ１５に一時記録する。
【００１８】
ステップＳ４において、条件設定部１６は、ユーザが質問のスキップを選択したか否かを判定する。条件設定部１６は、ユーザが質問のスキップを選択したと判定すると、後述するステップＳ６に進み、ユーザが質問のスキップを選択していないと判定すると、ステップＳ５に進む。ユーザは、質問に回答したくない場合や回答できない場合には、スキップを選択することにより、その質問に対する回答を回避することができる。
【００１９】
ステップＳ５において、条件設定部１６は、ユーザが設定終了を選択したか否かを判定する。条件設定部１６は、ユーザが設定終了を選択したと判定すると、後述するステップＳ７に進み、ユーザが設定終了を選択していないと判定すると、ステップＳ２に戻る。ユーザは、設定を終了したい場合には、質問の途中であっても設定終了を選択することができる。
【００２０】
ステップＳ６において、条件設定部１６は、全ての質問が終了したか否かを判定する。条件設定部１６は、全ての質問が終了したと判定すると、ステップＳ７に進み、全ての質問が終了していないと判定すると、ステップＳ１に戻り、次の質問を提示する。
ステップＳ７において、条件設定部１６は、回答に対応づけられた属性値をメモリ１５から読み出して制御値を求め、撮影条件として設定する。撮影条件設定の詳細は後述する。
【００２１】
ステップＳ８において、条件設定部１６は、ステップＳ７で設定した撮影条件に応じて、注意事項をユーザに報知する。注意事項は、モニタ４に文字メッセージなどを表示することにより報知しても良いし、不図示のスピーカなどにより音声で報知しても良い。例えば、露出の撮影条件として低シャッタ速度が設定された場合には、「手ブレするので三脚を使用してください」などの注意事項をユーザに報知する。また、発光制御の撮影条件として自動発光や強制発光が設定された場合には、「発光することがあります」などの注意事項をユーザに報知する。条件設定部１６は、注意事項をユーザに報知すると、一連の処理を終了する。
【００２２】
次に、ステップＳ７で説明した撮影条件設定の詳細について説明する。
図６に、撮影条件の一覧を示す。撮影条件は、図６に示すように、「自動露出（撮影時の露出に関する撮影条件）」、「発光制御（撮影時の閃光発光に関する撮影条件）」、「自動フォーカス（撮影時の焦点調節に関する撮影条件）」、「デジタル画像処理（画像処理に関する撮影条件）」からなる。各撮影条件の詳細は、図６の通りである。条件設定部１６は、自動露出に関する撮影条件として、撮像部１０にレンズ絞り、シャッタ速度、ＩＳＯ感度などを設定する。また、条件設定部１６は、発光制御に関する撮影条件を不図示の閃光発光部に設定し、自動フォーカスに関する撮影条件を撮像部１０に設定し、デジタル画像処理に関する撮影条件を、制御部１２内の不図示の画像処理部に設定する。
【００２３】
図７に、各属性項目の属性値の一例を示し、図８に、それぞれの回答に対応づけられた属性値の一例を示す。属性値とは、撮影条件を設定するもととなる値であり、それぞれの回答について、複数の属性項目毎に所定の値が予め定められる。属性値は、図７に示すように、「被写体サイズ」、「被写体距離」、「被写体速度」、「被写体画質」、「被写体彩度」、「背景速度」、「背景画質」、「背景彩度」、「シーン輝度」、「発光」、「スローシンクロ」の各属性項目を含む。
【００２４】
図８Ａは、図４で説明した質問のうち、Ｎｏ２の「撮影の目的は？」の質問に対する「運動会などイベント」の回答に対応づけられた属性値の一例である。また、図８Ｂは、図４で説明した質問のうち、Ｎｏ５の「撮影場所は？」の質問に対する「屋外」の回答に対応づけられた属性値の一例である。図４で説明した全ての質問に対する全ての回答毎に、それぞれの回答に対応づけられた属性値が、予めメモリ１５に記録されている。
【００２５】
条件設定部１６は、ユーザに対して提示した質問に対して取得した回答の数と同数の属性値を得ることができる。例えば、条件設定部１６は、ユーザに対して、図４で説明した９つの質問を提示し、４つの質問について回答を取得した場合には、４つの属性値を取得する。
そして、条件設定部１６は、取得した属性値の組み合わせに応じて、各部を制御する制御値を算出する。条件設定部１６は、取得した属性値の属性項目毎の平均値を求める。なお、提示した質問に対して回答を取得できなかった場合には、属性値として初期値を設定する。図９に、平均値の一例を示す。図９では、図４で説明した９つの質問のうち、Ｎｏ２、Ｎｏ４、Ｎｏ５、Ｎｏ７に対してユーザの回答を取得し、Ｎｏ１、Ｎｏ３、Ｎｏ６、Ｎｏ８、Ｎｏ９に対してはユーザの回答を取得できなかった場合の例を示す。
【００２６】
次に、条件設定部１６は、属性項目毎の平均値に基づいて、制御値を算出する。図１０に、各制御項目の制御値の一例を示す。制御値とは、図４で説明した各撮影条件に関する具体的な制御値である。条件設定部１６は、この制御値を用いて各部に撮影条件を設定する。制御値は、図１０に示すように、自動露出に関する制御値として、「被写界深度」、「シャッタ速度」、「低ＩＳＯ感度」の各制御項目を含み、発光制御に関する制御値として、「発光」および「スローシンクロ」の制御項目を含み、自動フォーカスに関する制御値として、「フォーカス距離」の制御項目を含み、デジタル画像処理に関する制御値として、「コントラスト」、「シャープネス」、「カラー」の各制御項目を含む。
【００２７】
条件設定部１６は、ニューラルネットワークの仕組みを用いて、属性値の組み合わせに応じて制御値を求める。本実施形態では、図１１に示す３層のニューラルネットワークを構成する。なお、図１１では、説明を簡単にするために、図７で説明した属性値のうち、「被写体サイズ」、「被写体距離」、「被写体速度」、「被写体画質」を例に挙げるとともに、図１０で説明した制御値のうち、「被写界深度」、「シャッタ速度」、「低ＩＳＯ感度」を例に挙げて説明する。実際には、これ以外の全ての属性値を含めて、図１０で説明した全ての制御値を求める。
【００２８】
図１１において、１層目のノードは属性値（属性値の平均値：図９参照）を入力とする。また、３層目のノードの出力を制御値とする。１層目のノードの入力は、重みＷａ[i][j]が積算されて、２層目のノードに伝播する。また、２層目のノードの出力は、重みＷｂ[j][k]が積算されて、３層目のノードに伝播する。なお、重みＷａ[i][j]および重みＷｂ[j][k]は、熟練者の実際の撮影時の撮影条件などに基づいて、予め定められる。伝播式を以下に示す。
【００２９】
まず、以下の式１を定義する。
【００３０】
【数１】
2007306200.tif 000003
式１は、シグモイド関数である。１層目のノードの出力ＯＵＴ１[i]は、以下の式２で与えられる。
【００３１】
【数２】
2007306200.tif 000004
式２において、Ｋ１は、予め定められた調整定数である。２層目のノードの出力ＯＵＴ２[j]は、以下の式３で与えられる。
【００３２】
【数３】
2007306200.tif 000005
そして、３層目のノードの出力である制御値は、以下の式４で与えられる。
【００３３】
【数４】
2007306200.tif 000006
式４において、Ｋ２は、予め定められた調整定数である。
このようにして、属性値から制御値を求めると、条件設定部１６は、求めた制御値を、撮影条件として各部に設定する。
【００３４】
なお、本実施形態では、属性値の組み合わせに応じて制御値を求める方法として、ニューラルネットワークを用いる例を示したが、複数のパラメータから最適解を算出するアルゴリズムであれば、他の方法を用いても良い。
以上説明したように、本実施形態によれば、撮影に関する質問と、質問毎の回答と、それぞれの回答に対応づけられた第１の値とを記録する記録部と、ユーザに対して質問を提示する質問部と、質問に対するユーザの回答を取得する取得部とを備え、回答に対応づけられた第１の値に応じて、撮影条件を設定する。したがって、カメラの撮影条件の設定において、初心者であっても、簡便な操作で熟練者と略同等の条件設定を可能とすることができる。特に、本実施形態によれば、シーンモードにおいて適切な撮影シーンを選択できない初心者のユーザであっても、簡便な操作で熟練者と略同等の条件設定を可能とすることができる。また、従来のシーンモードや自動シーン判別では、予め定められた撮影シーンの何れかを選択していたが、本実施形態では、予め撮影シーンを定めることなく、最適な条件設定を行うことができる。
【００３５】
また、本実施形態によれば、記録部は、複数の質問を記録し、質問部は、複数の質問を提示し、取得部により少なくとも２以上の回答を取得すると、取得した回答に対応づけられた第１の値の組み合わせに応じて、撮影条件を設定する。したがって、複数の回答に応じた第１の値の組み合わせを加味して、より適切な撮影条件を設定することができる。
また、本実施形態によれば、回答に対応づけられた第１の値の組み合わせに応じて、各部を制御する制御値である第２の値を決定し、撮影条件として設定する。したがって、全ての回答毎に制御値を対応づけて記録しておかなくても、最適な条件設定を行うことができる。
【００３６】
また、本実施形態によれば、質問部は、ユーザが任意の質問に対する回答を回避可能に質問を提示する。したがって、ユーザが回答可能な質問およびその回答のみを用いて撮影条件を設定することができる。
また、本実施形態によれば、記録部は、任意の質問に対して、少なくとも２つの回答を記録し、取得部は、少なくとも２つの回答のうち、ユーザにより選択された回答を取得する。したがって、ユーザは、予め定められた選択肢の中から回答を選択するので、操作が簡便である。また、撮影条件の設定に好適な回答を予め定めることが可能である。
【００３７】
また、本実施形態によれば、記録部は、撮影時の閃光発光に関する質問と、撮影目的に関する質問と、被写体に関する質問と、撮影場所に関する質問と、撮影時間に関する質問と、ユーザの好みに関する質問とを記録する。したがって、撮影条件の設定に好適な質問を予め定めることにより、適切な撮影条件の設定が可能である。
また、本実施形態によれば、設定した撮影条件に応じて、撮影時の注意事項をユーザに対して報知する。したがって、初心者であっても、設定した撮影条件に応じた適切な撮影を補助することができる。
【００３８】
なお、本実施形態では、ユーザに対して提示する質問として、図４で説明した各質問を例に挙げて説明したが、他の質問を用いても良い。
また、本実施形態では、設定する撮影条件として、図６で説明した各撮影条件を例に挙げて説明したが、他の条件についても本発明を同様に適用することができる。例えば、被写体の種類に関する質問に対する回答に応じて、撮影する画像のサイズおよび画質（圧縮率）を撮影条件として設定しても良い。また、自動フォーカスに関する撮影条件として、コンティニュアスフォーカス、シングルフォーカス、顔認識技術を利用したフォーカスなどにも、本発明を同様に適用することができる。また、静止画像および動画像の切り換え、連写撮影の実行、測光モードの切り換え、赤目補正の実行、手ブレ補正の実行などについても、本発明を同様に適用することができる。
【００３９】
また、本実施形態で説明した属性項目および属性値は一例であり、本発明はこの例に限定されない。また、本実施形態で説明した制御項目および制御値は一例であり、本発明はこの例に限定されない。
また、本実施形態では、電子カメラを例に挙げて説明したが、モニタなどの表示部を備えた銀塩カメラにも本発明を同様に適用することができる。また、本実施形態で説明した撮影条件の設定方法（図３のフローチャート）をプログラムの形でコンピュータや記録媒体に記録しても良い。このようなプログラムを用いれば、例えば、インターネット上で使用可能なＷＥＢカメラなどにおいて、カメラの撮影条件の設定を本実施形態と同様に行うことができる。
【図面の簡単な説明】
【００４０】
【図１】本実施形態の電子カメラ１の背面外観図である。
【図２】本実施形態の電子カメラ１の機能ブロック図である。
【図３】本実施形態の電子カメラ１の動作を示すフローチャートである。
【図４】質問および回答の一覧を示す図である。
【図５】質問（Ｎｏ２）の提示例を示す図である。
【図６】撮影条件の一覧を示す図である。
【図７】各属性項目の属性値の一例を示す図である。
【図８】それぞれの回答に対応づけられた属性値の一例を示す図である。
【図９】属性値の平均値の一例を示す図である。
【図１０】各制御項目の制御値の一例を示す図である。
【図１１】ニューラルネットワークについて説明する図である。
【符号の説明】
【００４１】
１…電子カメラ，４…モニタ，１０…撮像部，１２…制御部，１５…メモリ，１６…条件設定部
【図１】
2007306200.tif 000007
【図２】
2007306200.tif 000008
【図３】
2007306200.tif 000009
【図４】
2007306200.tif 000010
【図５】
2007306200.tif 000011
【図６】
2007306200.tif 000012
【図７】
2007306200.tif 000013
【図８】
2007306200.tif 000014
【図９】
2007306200.tif 000015
【図１０】
2007306200.tif 000016
【図１１】
2007306200.tif 000017